(57)【要約】【課題】本発明は、簡単な構造で、容易にオイルパン内の油量の視認が行なえるエンジンの油量点検窓を提供する。【解決手段】本発明の油量点検窓は、オイルパン２の側壁２ａに孔部６を設け、この孔部を塞ぐように側壁に、油量レベル確認用のレベルマーク８ａ，８ｂをもつ透視プレート部材７ａ、７ｂを接着する構造を採用した。これにより、簡単な構造で、容易にオイルパン内の油量の視認が行なえる。【選択図】図２
2010025050.tif 000002
【特許請求の範囲】
【請求項１】
エンジンのオイルパンに貯留されたオイルの油量レベルを視認する油量点検窓であって、
前記オイルパンの側壁の上部に設けられた孔部と、
前記孔部を塞ぐように前記側壁に接着された、油量レベル確認用のレベルマークを有する透視プレート部材と
を具備してなることを特徴とするエンジンの油量点検窓。
【請求項２】
前記オイルパンは、板金製であり、
前記孔部および前記透視部材が配置される前記オイルパンの側壁部分は、剛性強度を高めるべく、前記オイルパンの内側へ凹ませた凹部又は外側へ突き出した凸部で形成される
ことを特徴とする請求項１に記載のエンジンの油量点検窓。
【請求項３】
前記凹部又は前記凸部の周りのオイルパンの側壁には、当該凹部又は凸部の剛性強度を高めるための補強ビードが形成される
ことを特徴とする請求項２に記載のエンジンの油量点検窓。
【発明の詳細な説明】
【技術分野】
【０００１】
本発明は、エンジンのオイルパン内に貯留されているオイルの油量レベルを視認するエンジンの油量点検窓に関する。
【背景技術】
【０００２】
車両に搭載されるエンジンでは、エンジンの稼動を良好に維持するために、オイルパン内の油量を確認する構造が装備されている。その多くは、サーベル状のオイルレベルゲージを用いて、オイルパン内のオイルの油量を確認する構造が用いられている。
ところが、油量の確認は、その都度、オイルパンから延びているオイルレベルガイドパイプ内に収めたオイルレベルゲージを抜き出し、オイルレベルゲージの先端部におけるオイルの濡れ具合を目視する作業で行なわれる。特に適正に油量を確認するためには、一回、オイルレベルゲージをオイルレベルガイドパイプから引き抜いて、先端に付いているオイルをウェスなどで拭き取ってから、オイルレベルゲージをオイルレベルガイドパイプに差込み、再びオイルレベルゲージをオイルレベルガイドパイプから引き抜いて、オイルレベルゲージ先端におけるオイルの濡れ具合を目視し、オイルの付着した部分が油量レベルの上限値〜下限値内に有るか否かで判定する。このため、油量の確認は、かなり面倒な作業となる。
【０００３】
そこで、容易にオイルパン内の油量の視認が行なえるよう、エンジン本体に油量を確認する油量点検窓を設ける技術が提案されている。
こうした油量点検窓には、特許文献１に開示されているようにオイルパンに、透明な合成樹脂部材で形成したパイプを縦向きに取り付けて、オイルパン内のオイルを導き、このパイプに、点検用開口部やレベルマークを形成したカバーを設ける構造や、特許文献２に開示されているようにエンジン本体の側部に油量確認用の本体部品、ボディを取り付け、このボディの内部にオイルパン内と連通する連通室を形成し、この連通室の一部に窓部を設ける構造がある。
【特許文献１】実開平２−１８６０６号公報
【特許文献１】特開２０００−２８２８３７号公報
【発明の開示】
【発明が解決しようとする課題】
【０００４】
ところが、いずれの油量点検窓も、多くの部品や通路を形成する構造で始めて、オイルパン内の油量を外部から目視する構造なので、かなり構造的に複雑である。このため、同点検窓の設置は、エンジンの組立工数やエンジンのコストに影響を与えやすく、改善が求められている。
そこで、本発明の目的は、簡単な構造で、容易にオイルパン内の油量の視認が行なえるエンジンの油量点検窓を提供することにある。
【課題を解決するための手段】
【０００５】
請求項１に記載の発明は、上記目的を達成するために、オイルパンの側壁に孔部を設け、この孔部を塞ぐように側壁に、油量レベル確認用のレベルマークをもつ透視プレート部材を接着して、油量点検窓を構成した。
同構成により、簡単な構造で、外部からオイルパンの油量の視認が行える。
請求項２に記載の発明は、さらにエンジンの運転で振動しやすい板金製のオイルパンにおいては、オイル油量点検窓が共振するのを抑えるよう、オイルパンが板金製のときは、孔部および透視部材が配置されるオイルパンの側壁部分は、剛性強度を高めるべく、オイルパンの内側へ凹ませた凹部又は外側へ突き出した凸部で形成されることとした。
【０００６】
請求項３に記載の発明は、さらに、一層、油量点検窓が配置される側壁部分がオイルパンの振動に影響されない構造とするよう、凹部又は前記凸部の周りのオイルパンの側壁には、当該凹部又は凸部の剛性強度を高めるための補強ビードを形成することとした。
【発明の効果】
【０００７】
請求項１の発明によれば、油量点検窓は、オイルパンの側壁に孔部を形成し、この孔部を塞ぐように透視プレート部材を接着するだけの構造ですみ、簡単な構造で、容易にオイルパン内の油量の視認が行なえる。
請求項２の発明によれば、エンジンの運転で振動しやすい板金製のオイルパンの場合、油量点検窓を設置する側壁部分に、オイルパンの内側へ凹ませた凹部又は外側へ突き出した凸部を形成することにより、当該側壁部分の剛性強度が高められ、油量点検窓が共振するのが抑えられる。
【０００８】
それ故、透視プレート部材の剥がれが抑えられ、信頼性の有る油量点検窓が提供できる。
請求項３の発明によれば、補強ビードがもたらす剛性強度により、一層、油量点検窓が配置される側壁部分が、オイルパンに伝わる振動で影響されにくくなり、一層、振動しやすい板金製のオイルパンに適した油量点検窓を得ることができる。
【発明を実施するための最良の形態】
【０００９】
以下、本発明を図１〜図３に示す第１の実施形態にもとづいて説明する。
図１は、エンジン、例えば内燃エンジンの一部を示している。同図１中１は、例えばレシプロ式のエンジン本体を構成するシリンダブロック、２は同シリンダブロック１の下部に組み付くオイルパンである。
オイルパン２は、例えば板金部材を略箱形に成形した板金製で、内部にはオイル（エンジンの各部の潤滑や冷却などを行なうもの）を貯留する貯留室３が形成してある。
【００１０】
このオイルパン２の側壁、例えば片側の側壁２ａの上部には、オイルの油量を視認するための油量点検窓５が設けられている。図２にはこの油量点検窓５の各部の構造が示され、図３には油量点検窓５の断面図（図２中のＡ−Ａ線に沿う断面）が示されている。
油量点検窓５は、図２（ａ）に示されるようにオイルパン２の側壁２ａの上部のうち、オイルパン２で定められた油量レベルの上限〜下限間に臨んでいる側壁部分２ｃの一部に通孔、例えば円形の孔部６を設け、図２（ａ）および図３に示されるようにこの孔部６の両側から孔部６の開口を塞ぐように、透視プレート部材、例えば透明な剛性樹脂部材で形成された２枚の円形の透明樹脂プレート７ａ，７ｂを、接着剤（図示しない）で、側壁部分２ｃの壁面にそれぞれ接着した構造で構成されている。透明樹脂プレート７ａ，７ｂのうち、例えば側壁２ａの外側の壁面に接着されている透明樹脂プレート７ａの板面には、図２（ａ），（ｂ）に示されるようにオイルパン２内の油量レベルを確認するためのレベルマーク、例えば貯留された油量の上限値を示す上限値ライン８ａと下限値を示す下限値ライン８ｂが設けられている。これにより、オイルパン２の外側から、オイルパン２内のオイルの油量が、透視樹脂プレート７ａ，７ｂを通じて、目視により、定められた上限値ライン８ａ〜下限値ライン８ｂ内に有るか否かが判るようにしている。なお、接着剤には、透明樹脂プレート７ａ，７ｂと側壁２間で高いシール性が確保されるよう、耐油性に優れた接着剤が用いてある。
【００１１】
このように構成された油量点検窓５によると、オイルパン２内の油量を確認するときは、外部から透明樹脂プレート７ａ，７ｂを通じ、オイルパン２内に貯留されたオイルの油面位置を視認して、規定の油量範囲内であることを確認すればよく、容易、すなわち一目で、オイルパン２内の油量の視認ができる。
しかも、油量点検窓５は、オイルパン２の側壁２ａに形成した孔部６を塞ぐよう透視樹脂プレート７ａ、７ｂを側壁２ａに接着するだけでよく、簡単な構造ですみ、エンジンの組立工数やエンジンのコストへの影響も抑えられる。
【００１２】
図４，図５は、本発明の第２，３の実施形態を示している。
図４に示す第２の実施形態、図５に示す第３の実施形態は、いずれも第１の実施形態とは異なる透視樹脂プレートを採用して、オイル油量点検窓を構成したものである。
すなわち、図４に示す第２の実施形態は、片側の一枚の透明樹脂プレート、ここでは外側の透明樹脂プレート７ａだけ、孔部６を塞ぐように側壁２ａに接着して、オイル油量点検窓５を構成したものである。
【００１３】
図５に示す第３の実施形態は、第２の実施形態の変形例で、透明樹脂プレート７ａとして、一側部には孔部６に嵌挿可能な嵌挿部１３を有し、他側部はそのまま孔部６の周りの壁面に重なり合う重合部分１４としたままの構造を用い、嵌挿部１０を孔部６に嵌挿させ、他側部の重合部分１１を孔部６の縁部の壁面と重ねて、接着剤（図示しない）で側壁２に接着したものである。
【００１４】
このような透明樹脂プレート７ａを用いてオイル油量点検窓５を構成しても、第１の実施形態と同様の効果を奏する。
図６および図７は、本発明の第４の実施形態を示す。
本実施形態は、エンジンの振動の影響を受けやすい板金製のオイルパン２に配慮して、例えば第１の実施形態のオイル油量点検窓５に工夫を施したものである。
【００１５】
すなわち、オイルパン２は、エンジンの振動が伝わるが、板金製のオイルパン２だと薄肉なので、油量点検窓５が設置されている部位は共振する。そのため、側壁２ａに接着した透明樹脂プレート７ａ，７ｂは壁面から剥がれるおそれがあり、透明樹脂プレート７ａ，７ｂと側壁２ａとの間のシールが損なわれるおそれがある。
そこで、第４の実施形態は、図６および図７（図６中のＢ−Ｂ線に沿う断面）に示されるように孔部６や透明樹脂プレート７ａ，７ｂ（油量点検窓５）が配置されている側壁部分２ｃの部位だけ、オイルパン２の内側へ凹ませる工夫を施した（例えば角形）。
【００１６】
局所的に凹ました部分で形成される凹部１５は、オイル油量点検窓５が設置された板金部分の剛性強度を高める役割を果たすから、オイル油量点検窓５が設置された部位は、エンジンから伝わる振動で共振しにくくなる。これで、接着されている透明樹脂プレート７ａ，７ｂの剥がれは抑えられる。つまり、振動の影響がオイル油量点検窓５へ作用するのが抑えられ、透明樹脂プレート７ａ，７ｂと側壁２ａ間のシール性は良好に保ち続けられる。これにより、振動しやすい板金製のオイルパン２に適した油量点検窓５となり、油量点検窓５の信頼性が向上する。
【００１７】
側壁部分２ｃの剛性強度を高める措置は、凹部１５ではなく、図７中に二点鎖線で示すように側壁部分２ｃの孔部６や透明樹脂プレート７ａ，７ｂが配置された部位を、オイルパン２の外側へ突き出させた凸部１６でも同様である。
なお、凹部１５や凸部１６は、角形でなく、丸形でもよく、どのような形状でも構わない。
【００１８】
図８は、本発明の第５の実施形態を示す。
本実施形態は、凹部１５や凸部１６の形成でも、振動の影響が十分に抑えられない場合の例を示す。
このときは、図８に示されるように凹部１５の周りのオイルパンの側壁２に、波形に成形した補強ビード２０を形成する。具体的には、凹部１５の上部側とフランジ１９により剛性強度が高くなっているオイルパン２の開口縁部間、凹部１５の下部側と剛性強度の高いオイルパン２の底壁間をそれぞれ結合するように補強ビード２０、ここでは例えば頂部がオイルパン２の外側へ突き出て上下方向に延びる直線状の補強ビード２０を形成する。むろん、側壁２に凸部１６（図７中の二点鎖線で図示）を形成した場合も同じである。
【００１９】
このように補強ビード２０を形成すると、一層、凹部１５（あるいは凸部１６）の剛性強度が高められ、油量点検窓５が配置される部位がオイルパン２に伝わる振動で振れにくくなる。つまり、油量点検窓５がオイルパン２に伝わる振動に影響されるのが抑えられる。これにより、一層、振動しやすいオイルパン２に適した油量点検窓５を得ることができる。
【００２０】
なお、補強ビード２０は、図８中の二点鎖線に示されるように頂部がオイルパン２の内側へ突き出たビードでも構わない。
但し、図４〜図８において第１の実施形態と同じ部分には同一符号を付してその説明を省略した。
なお、本発明は上述した実施形態に限定されるものではなく、本発明の主旨を逸脱しない範囲内で種々可変して実施しても構わない。例えば上述した実施形態では、板金製のオイルパンに油量点検窓を設けた例を挙げたが、これに限らず、例えば合成樹脂製のオイルパンでも、アルミ合金製のオイルパンでもよい。また上述した実施形態では、透視プレート部材として、透明な合成樹脂部材で成形された透明樹脂プレートを用いたが、透視できる部材あれば、油量レベルの視認が行なえるので、無色の透明な合成樹脂部材に限定されるものではない。
【図面の簡単な説明】
【００２１】
【図１】本発明の第１の実施形態に係る油量点検窓を有するエンジンを示す分解斜視図。
【図２】（ａ）は同油量点検窓の分解斜視図、（ｂ）は同オイル油量点検窓の外観を拡大して示す斜視図。
【図３】図２（ｂ）中のＡ−Ａ線に沿う油量点検窓の断面図。
【図４】本発明の第２の実施形態に係る要部となる油量点検窓の断面図。
【図５】本発明の第３の実施形態に係る要部となる油量点検窓の断面図。
【図６】本発明の第４の実施形態に係る要部となる油量点検窓の周辺を示す斜視図。
【図７】図６中のＢ−Ｂ線に沿う油量点検窓の断面図。
【図８】本発明の第５の実施形態に係る要部となる油量点検窓の周辺を示す斜視図。
【符号の説明】
【００２２】
２  オイルパン
５  油量点検窓
６  孔部
７  透明樹脂プレート（透視プレート部材）
８ａ，８ｂ  上限値ライン，下限値ライン（レベルマーク）
１５  凹部
１６  凸部
２０  補強ビード
【図１】
2010025050.tif 000003
【図２】
2010025050.tif 000004
【図３】
2010025050.tif 000005
【図４】
2010025050.tif 000006
【図５】
2010025050.tif 000007
【図６】
2010025050.tif 000008
【図７】
2010025050.tif 000009
【図８】
2010025050.tif 000010